(57)【要約】本発明は、コンピュータ技術の分野に属し、様々なコンピュータのメモリ装置、特に長期間の記憶保持能力、高いデータ記憶密度とともに、読み書き速度の速い普遍的なメモリシステムの開発に用いることができる。さらに、新世代のビデオ・オーディオ装置の開発にも、連想記憶（associative memory）システムの開発、ニューラルネットのためのシナプス（プログラム可能な電気的抵抗を有する電子回路素子）の開発にも利用できる。そのような素子が存在しないために、本物のニューラルコンピュータの製造が妨げられてきた。本発明は、何ビットかの情報を記憶することができ、短い抵抗値切り替え時間および低い動作電圧を持ち、現代の半導体の製造技術と組み合わせ可能な製造技術を持つ、本質的に新しいタイプのメモリセルを作るという課題に対応したものである。図６は、本発明のメモリセルの実施例であり、２つの連続的なアルミニウムの電極１，２を含み、２つの電極の間には、多層の機能ゾーンが配置されている。多層の機能ゾーンは、一つの活性層３と、一つのバリア層４および一つの不活性層５を含んでいる。この機能ゾーンの構造は、活性ゾーンの電気抵抗値を変化させ、および／またはメモリセル上における外部電界および／または光照射の影響により、活性ゾーンに高伝導率の領域または金属伝導線を形成し、そしてその状態を外部電界の印加なしに長時間保持することを可能にする。本発明のメモリセルは、現在使用されている単一ビットのメモリ素子に比べて、何ビットかの情報を記憶することができるという有利な特徴を有する。データの記憶時間はメモリセルの構造、機能ゾーンに使用される材料および書き込みモードによって異なる。その時間は、数秒（ダイナミックメモリに使用可能）から数年（長期間の記憶、例えばFlash Memory）まで変化しうる。よって、データの書き込みモードに応じて、ダイナミックモードでも、長期間モードでも使用可能な普遍的なメモリを製作することが可能になる。
2005500682.tif 000002
【特許請求の範囲】
【請求項１】
２つの電極の間に機能ゾーンを配置した三層構造を持つメモリセルであって、
前記電極は、金属および／または半導体および／または導電性ポリマーおよび光学的に導電性の酸化物または硫化物から作成され、
前記機能ゾーンは有機材料、有機金属材料および無機材料から作成され、前記機能ゾーンの分子および／または結晶構造には、様々なタイプの活性要素が、それらの組み合わせおよび／またはそれらの要素を基礎としたクラスタとともに注入され、外部電界および／または光照射の影響下でそれらの状態または位置を変化させる、メモリセル。
【請求項２】
前記電極はいくつかのエレメントから構成され、エレメントは互いに空間的および電気的に分離されている、請求項１記載のメモリセル。
【請求項３】
前記電極は２または３の分離したエレメントから構成され、各エレメントは前記機能ゾーンの上に配置されている、請求項１または２記載のメモリセル。
【請求項４】
前記機能ゾーンは、有機材料、有機金属材料および無機材料を基礎とする、分子イオンを含む正イオンまたは陰イオンを注入した活性層として実現される、請求項１記載のメモリセル。
【請求項５】
前記機能ゾーンは、有機材料、有機金属材料および無機材料の混合物を基礎とする、固体電解質を基礎としたクラスタを注入した活性層として実現される、請求項１記載のメモリセル。
【請求項６】
前記機能ゾーンは、有機材料、有機金属材料および無機材料を基礎とする、電気双極子モーメントを持つ分子および／またはイオンを注入した活性層として実現される、請求項１記載のメモリセル。
【請求項７】
前記機能ゾーンは、有機材料、有機金属材料および無機材料の混合物を基礎とする、固相ポリマーおよび無機強誘電体を基礎としたクラスタを注入した活性層として実現される、請求項１記載のメモリセル。
【請求項８】
前記機能ゾーンは、有機材料、有機金属材料および無機材料を基礎とする、ドナーおよびアクセプタ分子を注入した活性層として実現される、請求項１記載のメモリセル。
【請求項９】
前記機能ゾーンは、有機材料、有機金属材料および無機材料を基礎とする、有機および／または無機の塩および／または酸および／または水分子を注入した活性層として実現される、請求項１記載のメモリセル。
【請求項１０】
前記機能ゾーンは、有機材料、有機金属材料および無機材料を基礎とする、電界中および／または光照射下で分離性を持つ分子を注入した活性層として実現される、請求項１記載のメモリセル。
【請求項１１】
前記機能ゾーンは、有機材料、有機金属材料および無機材料を基礎とする、無機および／または有機金属および／または有機の塩および／または可変価数の金属分子またはそれらに含まれる原子団を注入した活性層として実現される、請求項１記載のメモリセル。
【請求項１２】
前記機能ゾーンは、光放射構造を構成する、または構成しない要素とともに、主回路に組み込まれ、および／または主回路もしくは基板に接続され、および／または構造に組み込まれる活性要素を持つ、有機および有機金属共役ポリマーを基礎とする活性層として実現される、請求項１記載のメモリセル。
【請求項１３】
前記機能ゾーンは、有機材料、有機金属材料および無機金属材料から構成されるいくつかの異なる活性層を含む多層構造として実現され、前記機能ゾーンの分子および／または結晶構造には、活性要素および／またはそれらの要素を基礎としたクラスタが注入され、外部電界および／または光照射の影響下でそれらの状態および／または位置を変化させる、請求項１記載のメモリセル。
【請求項１４】
前記機能ゾーンとして、いくつかの活性層、不活性層、バリア層、光放射層、光センサ層が、有機材料、有機金属材料および無機材料から作られる異なる活性層の電極によって互いに分離された多層構造が用いられ、前記機能ゾーンの分子および／または結晶構造には、活性要素および／またはそれらの要素を基礎としたクラスタが注入され、外部電界および／または光照射の影響下でそれらの状態および／または位置を変化させる、請求項１３記載のメモリセル。
【請求項１５】
前記機能ゾーンとして、光学的または電気的分離のためのエレメントとともに活性層と不活性層とを交互に積み重ねた多層構造が用いられる、請求項１４記載のメモリセル。
【請求項１６】
前記不活性層は、有機材料、有機金属材料および無機金属材料から作られ、それらは電荷キャリアのドナーおよび／またはアクセプタであり、イオンおよび／または電気的導電体である、請求項１４記載のメモリセル。
【請求項１７】
前記バリア層は、高い電子伝導率および低いイオン伝導率を有する材料から作られる、請求項１４記載のメモリセル。
【請求項１８】
前記機能ゾーンとして活性層および不活性層を含む二層構造が用いられる、請求項１４記載のメモリセル。
【請求項１９】
前記機能ゾーンとして二層構造が用いられ、一つの層は有機金属材料および無機材料によって作られ、高い電子伝導率および低いイオン伝導率を有し、もう一つの層は不活性である請求項１４記載のメモリセル。
【請求項２０】
前記機能ゾーンとして外側の活性層およびそれらの間に配置されたバリア層からなる三層構造が用いられる、請求項１４記載のメモリセル。
【請求項２１】
前記機能ゾーンとして四層構造が用いられ、当該構造の２つの活性層は第３のバリア層によって分離され、第４の層は不活性である、請求項１４記載のメモリセル。
【請求項２２】
前記機能ゾーンとして五層構造が用いられ、当該構造は２つの外側の不活性層と、その不活性層の間に配置され、第５のバリア層によって分離されている２つの活性層とから構成されている、請求項１４記載のメモリセル。
【請求項２３】
前記電気的分離エレメントが、ダイオード構造を形成する、電気伝導性材料から作られた追加の電極および半導体および／または有機材料の層として実装される、請求項１５記載のメモリセル。
【請求項２４】
前記電気的分離エレメントが、フォト抵抗素子またはフォトセンサ素子を形成する、電気伝導性材料から作られた追加の電極および光学的に透過性の材料および半導体および／または有機材料の層として実装される、請求項１５記載のメモリセル。
【請求項２５】
前記電気的分離エレメントが、フォトダイオードまたは光放射構造およびフォト抵抗素子またはフォトセンサ素子を形成する、電気伝導性材料から作られた追加の電極、および電気伝導性を持ち光学的に透過性の材料で作られる第２の追加の電極によって分離された半導体および／または有機材料の２つの層として実装される、請求項１５記載のメモリセル。
【発明の詳細な説明】
【技術分野】
【０００１】
本発明は、コンピュータ技術の分野に属し、様々なコンピュータのメモリ装置において、特に連想記憶（associative memory）システムの開発、ニューラルネットのためのシナプス（プログラム可能な電気的抵抗を有する電子回路素子）の生成、ダイレクトアクセス可能なデータバンクの開発、および新世代のビデオ・オーディオ装置の開発に使用することができる。
【関連技術】
【０００２】
現代のコンピュータは、書き込み速度、記憶時間、および読み出し速度などの特性が異なる、様々な用途のメモリ装置を使用する。これによって、コンピュータシステムの動作はかなり複雑になり、コンピュータの立ち上がり時間を長くし、データストレージ機能を複雑にしている。
【０００３】
マイクロエレクトロニクスの分野における優先的な課題のひとつは、長期間の記憶保持能力、高いデータ記憶密度とともに、読み書き速度の速い普遍的なメモリシステムを作ることである。さらに、ニューラルコンピュータのための単純で効率的なシナプス素子の製造に対する強い要求が存在する。そのような素子が存在しないために、本物のニューラルコンピュータの製造が妨げられてきた。
【０００４】
同時に、現代の電子機器の基本である物理法則の潜在的な可能性も現実的には使い尽くされている。分子材料および超分子集合体（Supramolecular ensembles）を用いたモレキュラー・エレクトロニクスのアイディアに基づいて、機能し、製造される電子機器のための新しい原理を発見するための激しい研究作業が今、進行中である。
【０００５】
参考文献１および２は、小さな導電系（small conducting system）の電気構造的不安定性の現象を、特に新世代のメモリ装置を開発するための物理的原理として用いることができるかどうかの分析を含んでいる。この文献では、この現象の理論的基礎を議論し、その特性を決定する条件およびパラメータについて分析を行っている。また、この文献には１次元の分子構造についてのデータが含まれており、さらに構造的不安定性についての特徴についての議論、および１次元の系の導電性を静的または動的に制御する可能性についての分析が含まれている。
【０００６】
上述の物理的原理により、データ記憶および変換の新しい機構および新しい材料の選択において、メモリ装置を設計する見通しが出てきた。モレキュラー・エレクトロニクスの潜在的な可能性がさらに大きなスケールで発見され、電気的に能動的な（electro active）シナプスによって結合されたニューロンから構成されるニューラルネットの開発が可能になるであろうことは明らかであろう。モレキュラー・エレクトロニクスの手法を人工ニューロンおよび共通のネットに接続された様々なタイプのセンサの開発に用いることによって、ニューロコンピュータの観念に含蓄されたすべての潜在的な可能性を現実化する道を開き、本質的に新しいタイプの情報処理およびコンピュータシステムを作ることを可能にし、人工知能の創造における問題の解決に近づくことができる。
【０００７】
情報の記憶に使用可能なメモリセルを含むデバイスは既に知られている（米国特許６，０５５，１８０、国際特許分類G11C 11/36、２０００年）。この既知のデバイスの主たる不利な点は、情報をたった一回しか書き込めないことである。さらに、情報の読み出しは光学的な方法で行われる。光学的な装置を使用することによって、記憶装置が大型化し、複雑化し、さらに光線の位置合わせが難しいために読み出しの信頼性が低下する。この特許に説明されている他の書き込み方法は、高電圧を印加することによって生じる、熱的破壊効果を利用したものである。この書き込み方法の不利な点は、情報の記憶が一回しかできず、高い電圧を必要とすることである。
【０００８】
２つの電極の間に高温の分子化合物を挟んだ、三層構造を持つメモリセルも知られている（JP62-260401、国際特許分類H01C 7/10, C23C 14/08, H01b 1/12, １９９０年、および参考文献４）。この既知のメモリセルは、外部電界を印加することによって分子化合物の電気抵抗が変化するという原理を利用している。分子の実質導電率は２つの非常に異なったレベルになりうる。これによって、１ビットの情報を記憶することができる。
【０００９】
この既知のメモリセルの主たる欠点は、抵抗値を切り替えるために長い時間がかかることで生じる低い動作速度と、高い電圧（約６０V）である。これらの欠点は、このセルを現代の電子機器で用いる上で大きな制限となる。
【００１０】
２つの電極の間に低温の分子化合物を挟んだ、三層構造を持つメモリセルも知られている（米国特許４，６５，８９４，国際特許分類H01L 29/28, １９８７年、および参考文献３）。このメモリセルの動作も、外部電界を印加によって分子化合物の電気抵抗値を切り替えることを基礎としている。しかしながら、このデバイスは、上述のものとは異なり、短い抵抗値切り替え（スイッチング）時間と低い動作電圧を特徴としている。この既知の技術的解決策の主な欠点は次のとおりである。
まず、既存の半導体製造技術と提案されているメモリセル製造技術とを組み合わせるのが不可能であることがある。それは、このメモリセルで使用される低温の分子化合物が機械的に、さらに重要なことには温度的に耐久性が高くなく、最高でたった摂氏１５０度までしか耐えられないからである。したがって、最高摂氏４００度の温度を使用する現代の半導体製造技術において、このメモリセルを使用することは不可能である。
次に、この既知のメモリセルはたった１ビットの情報しか記憶することができない。これでは高い情報密度を持つ開発中のデバイスに使用することができない。
さらに、用いられる材料の物理的な特性により、ライト・リード・イレース（書き込み、読み出し、消去）サイクルの再現性が不十分なものになる。
上述のすべてのメモリセルおよび文献で知られているこのタイプのメモリセルは、１ビットの情報しか記憶できないという、共通の欠点を持っている。
【発明の開示】
【発明の概要】
【００１１】
本発明は、何ビットかの情報を記憶することができ、短い抵抗値切り替え（スイッチング）時間および低い動作電圧を持ち、現代の半導体の製造技術と組み合わせ可能な製造技術を持つ、本質的に新しいタイプのメモリセルを作るという課題に対応したものである。
上記の課題は以下のとおり解決される。メモリセルは、２つの電極とその間の機能ゾーン（functional zone）とを含んで構成される３層構造を有する。これは、電極を金属および／または半導体および／または導電ポリマーおよび／または光学的に透過性の酸化物または硫化物材料のなかから製造し、機能ゾーンを有機、有機金属および無機材料のなかから製造し、これらの材料の分子および／または結晶構造の中に、異なったタイプの活性要素（active element）を、またはこれらの材料を互いに組み合わせたもの、および／またはそれらを基礎とするクラスタとともに組み込む。これらの材料は、外部電界および／または光照射の影響下で、それらの状態または位置が変化する。
【００１２】
上記のメモリセル構造は、単一ビットまたは複数ビットの情報の書き込み、記憶、読み出し方法を持つメモリ素子の製造を可能にする。同時に、情報は、機能ゾーンの抵抗値として記憶される。単一ビット記憶モードのメモリセルは、抵抗値は２つのレベル、ハイ（例えば、０を表す）およびロー（例えば、１を表す）を持つ。一方、マルチ（複数）ビット記憶モードのメモリセルは、特定の情報ビット数に応じて、抵抗値はいくつかのレベルを持つ。例えば、２ビットセルでは抵抗値は４つのレベルを持ち、４ビットセルでは１６のレベルを持つ。他のビット数でも同様である。このメモリセルは、現在使用中のメモリの特徴、すなわち情報を記憶している間、常時電源を供給している必要がないという点で、有利である。情報の記憶時間はメモリセルの構造、機能ゾーンに使用される材料、および記録モードによって異なる。その時間は、数秒（ダイナミックメモリに使用可能）から数年（長期間の記憶、例えばFlash Memory）まで変化しうる。
【００１３】
有機および有機金属共役ポリマーをベースとした活性層を含んで構成されるメモリセル機能ゾーンを採用することが望ましい。さらに、その主回路には活性要素が組み込まれ、および／または主回路もしくは基板に活性要素が接続され、および／または構造に組み込まれる。この要素は、光放射構造を構成するものであってもよいし、または構成しないものであってもよい。また、メモリセル機能ゾーンは、正または負のイオン（分子イオンを含む）を注入した有機、有機金属および無機材料を基礎とした（ベースとした）活性層を含んでもよい。この活性層には、固体電解質に基づくクラスタ、または電気双極子を持つイオンまたは分子をさらに注入してもよいし、または代替的に注入することもできる。さらに、この活性層には、固体高分子（ポリマー、polymer）および無機強誘電体を基礎とするクラスタ、ドナー（Donor）およびアクセプタ(Acceptor)分子、有機塩および／または無機塩および／または酸および／または水分子、電界中および／または光の照射で分離する分子、無機塩および／または有機金属塩および／または有機塩および／または可変価数の金属またはそれらを含む原子団を持つ分子、を追加的にまたは代替的に注入することができる。
【００１４】
上述の機能ゾーンの実施例は、活性層の抵抗値を変化させ、および／またはメモリセル上における外部電界および／または光照射の効果により活性層に高伝導率の領域または線（ライン）を形成し、そしてその状態を外部電界の印加なしに長時間保持することができる構造を作ることを可能にする。
【００１５】
メモリセル活性ゾーンの活性要素の一つについて、電気双極子を持つ分子および／またはイオンに、固体ポリマーおよび無機強誘電体を基礎としたクラスタを選択的にまたは追加的に注入して使用することによって、とても効果的に、低い印加電圧でのメモリセルの動作を確実にすることができる。これは、強誘電体成分の存在により、内部の電界強度が高くなり、その結果情報を書き込むのに必要な外部電圧が低くて済む、という理由に基づく。
【００１６】
機能ゾーンを多層構造として実現する興味深い可能性がある。この多層構造は、様々な活性レベルを持ついくつかの層、例えば有機材料、有機金属材料および無機材料の中から実現される層を含んで構成される。これらの材料の分子および／または結晶構造は、（複数の）活性成分および／またはそれらに基づくクラスタを注入される。この材料は、外部電界または光放射の影響によってその状態が変化する。これによって、電気抵抗値レベルの数および幅を広くすることができ、それによってメモリのデータ密度を高くすることができる。
【００１７】
機能ゾーンを、活性（active）層、不活性（passive）層およびバリア（barrier）層を交互に重ねた多層構造に実装するのが望ましい。ここで、不活性層は、ドナーおよび／またはアクセプタ電荷キャリアであって、イオンおよび／または電子伝導性を持つ、有機材料、有機金属材料および無機材料から作られる。バリア層は、高い電子伝導度と低いイオン伝導度とを持つ材料から作られ、これによって時間の経過におけるメモリセルの安定性を改善し、同時にメモリセルの電気抵抗値として記憶される値の数を増加させることによってデータ密度を増加させることが可能になる。
【００１８】
メモリセルの電極は、いくつかの分離したエレメント、例えば機能層の上に配置された２または３のエレメントから構成するのが望ましい。このようにすることで、セルの電気抵抗値をより精密に制御することができ、情報記録の品質、つまりメモリセルの電気抵抗のアナログ値の精密さを改善することができ、同時に情報の書き込みと読み出しの回路を分離することができる。
【００１９】
メモリセルの電極を、２つのエレメントを半導体および／または有機光放射材料で分離した構造とし、そして例えばダイオード構造、フォト抵抗（photo resistance）、またはフォトセンサ（photo sensor）素子を形成して、情報の書き込みと読み出しのための電気回路を電気的にまたは光学的に分離できるようにするのが有利である。
【００２０】
また、メモリセルの電極を、３つの平行なエレメントを半導体および／または有機光放射材料で分離した構造とし、そして例えば光放射構造およびフォト抵抗またはフォトセンサ素子を形成して、情報の書き込みと読み出しのための電気回路を光学的に分離できるようにしても有利である。
【発明を実施するための最良の形態】
【００２１】
図１乃至２０は、本発明のメモリセルの実施例を示す。
本発明のメモリセル（図１乃至８）は、２つの連続的なアルミニウムの電極１，２を含み、２つの電極の間には、単一層の機能ゾーンが配置されている。この単一層の機能ゾーンは、イオン３または電解質クラスタ３ａでドープされた一つの活性層（図１，２）、または２つのドープされた活性層３ｂおよび３ｃ（図３）、またはバリア層４で分離された電解質クラスタを持つ２つの活性層３ｄ，３ｃ（図４）を含んでいる。図５から８は、多層の機能ゾーンを示している。この多層の機能ゾーンは、一つの活性層３と一つの不活性層５（図５）、または一つの活性層３、一つのバリア層４および一つの不活性層５（図７）、または２つの活性層３ｂ，３ｃ、一つのバリア層４および２つの不活性層５ａ，５ｂ（図８）を含んでいる。
【００２２】
図９乃至１１に示された本発明のメモリセルは、アルミニウムの電極１，２を含み、最上層の電極１は２つのエレメント１ａ，１ｂを含む。これらの電極の間には機能ゾーンが配置される。この機能ゾーンは、一つの活性層３からなる単一層の機能ゾーン（図９）、または一つの活性層３および一つの不活性層５からなる多層の機能ゾーン（図１０）、または一つの活性層３、一つのバリア層４および一つの不活性層５からなる多層の機能ゾーン（図１１）を含んでいる。
【００２３】
図１２乃至１４に示された本発明のメモリセルは、アルミニウムの電極１，２を含み、各電極は、それぞれ１ａ，１ｂおよび２ａ，２ｂを含む。これらの電極の間には機能ゾーンが配置される。この機能ゾーンは、一つの活性層３からなる単一層の機能ゾーン（図１２）、または一つの活性層３および一つの不活性層５からなる多層の機能ゾーン（図１３）、または一つの活性層３、一つのバリア層４および一つの不活性層５からなる多層の機能ゾーン（図１５）を含んでいる。
【００２４】
図１５乃至１７に示された本発明のメモリセルは、アルミニウムの電極１，２を含み、最上層の電極１は３つのエレメント１ａ，１ｂおよび１ｃを含む。これらの電極の間には機能ゾーンが配置される。この機能ゾーンは、一つの活性層３からなる単一層の機能ゾーン（図１５）、または一つの活性層３および一つの不活性層５からなる多層の機能ゾーン（図１６）、または一つの活性層３、一つのバリア層４および一つの不活性層５からなる多層の機能ゾーン（図１７）を含んでいる。
【００２５】
図１８乃至２０に示された本発明のメモリセルは、２つの連続的なアルミニウムの電極１，２を含み、２つの電極の間には、多層の機能ゾーン６が配置されている。この多層の機能ゾーン６は、図３乃至８に示されたものと同様に実現することができ、ダイオード構造を形成する半導体または有機材料から作られる電極７および層８からなる電気的分離エレメント（図１８）を備え、または導電性で光学的透過性のある材料から作られる追加の電極９と、半導体および／または有機材料から構成される層１０とを含み、フォト抵抗（photo resistance）またはフォトセンサ素子を形成する光学的分離エレメント（図１９）を備え、または導電性材料から作られる電極７と、導電性で光学的透過性のある材料から作られる追加の電極９によって互いに分離された、半導体および／または有機材料から作られる２つの層（１０，１１）とを含み、フォトダイオードまたは光放射構造１１およびフォト抵抗またはフォトセンサ素子１０を形成する光学的分離エレメント（図２０）を備える。
【００２６】
本発明のメモリセルの書き込み、消去および読み出しの動作原理を説明するために、図２１に示された回路図を参照する。図２１の回路は、プログラマブル電流発生器をベースにした、情報書き込みの際に制御可能な電流レベルを提供し、読み出しの際に定電圧を提供し、消去の際に負のパルスを生成する特別テストジェネレータ１２と、電極１，２と図１乃至１７に示された選択肢の一つとして実現可能な機能ゾーン６と、安定抵抗１３と、電圧計、記録計またはオシロスコープとして実現可能な電圧記録装置１４および１５を含む。メモリセルを流れる電流の値は、安定抵抗１３における電圧を測定することによって得られる。
【００２７】
このデバイスは次のように動作する。テストジェネレータ１２は、閾値２３を越える電圧パルス１６（図２２）を生成する。書き込み電流パルスの値１９が、プログラムされた値に達した後、ジェネレータ１２は、読み出しモードに切り替わり、読み出し電圧１８を形成する。この読み出し電圧は閾値２３よりもかなり低い。制御された書き込み電流の値１９がプログラムされたレベルに到達すると書き込み動作は完了したと考えられ、その後印加電圧は断たれる（スイッチオフ）。安定抵抗１３を流れる電流の値２２（ａ−ｄ）に基づいて、メモリセルの抵抗値は推定可能であり、その抵抗値は特定のビット情報に対応する。例えば、２ビットのメモリセルでは、次のようになる。
電流２２ａは値（００）に対応
電流２２ｂは値（０１）に対応
電流２２ｃは値（１０）に対応
電流２２ｄは値（１１）に対応
【００２８】
情報の記憶期間および対応するメモリセルの電気抵抗値の品質は、選択される機能ゾーンの構造および使用材料に応じて変わる。情報の消去は、ジェネレータ１２によって負の電圧パルス１７を送ることで実行される。制御された消去電流の値２０が所定のレベルに到達すると消去動作は完了したものと考えられ、その後印加電圧は断たれる（スイッチオフ）。消去動作の後、メモリセルは初期状態に戻り、機能ゾーン６は非常に高い抵抗値を持つ。図２に示されたメモリセルの構造において、書き込み動作を実行する前には、セルを初期状態に戻す、つまり記録された情報を消去する必要がある。
【００２９】
本発明の実施例には次のようなものがある。
実施例１
メモリセル（図１，２）は三層構造を持ち、アルミニウムの電極１，２の間に、ポリフェニルアセチレン（polyphenyl acetylene）３またはポリジフェニルアセチレン（polydiphenyl acetylene）をリチウムイオンでドープしたもの（３ａ）を挟んでいる。メモリセルのプログラミングは、閾値よりも高い電界パルスを印加すると同時に、セルを流れる電流（または、抵抗値もしくは印加する電圧パルスの期間および値）を制御することで実行される。制御される値（例えば、電流または抵抗値）が所定のレベルに到達したときに、書き込み動作は終了したと考えられ、その後印加電圧は断たれる（スイッチオフ）。
情報の読み出しは、その値よりも低い電圧パルスを印加し、同時に現在の値を記録し、または抵抗値を制御することによって行われる。消去は、反転（負の）電圧パルスを印加すると同時に、セルを流れる電流（または、抵抗値もしくは印加する電圧パルスの期間および値）を制御することで実行される。制御される値（例えば、電流または抵抗値）が所定のレベルに到達したときに、書き込み動作は終了したと考えられ、その後負の印加電圧は断たれる（スイッチオフ）。
【００３０】
実施例２
メモリセル（図３，４）は三層構造を持ち、アルミニウムの電極１，２の間に、ポリフェニルアセチレン（polyphenyl acetylene）３ａ，３ｂの２層、またはポリジフェニルアセチレン（polydiphenyl acetylene）をリチウムイオンでドープした２層（３ｄ，３ｅ）を窒化リチウム４で分離したものを挟んでいる。メモリセルの情報のプログラミング、読み出し、および消去は、実施例１で説明したのと同じ方法で行われる。このセルは情報を長期間保持することができる。
【００３１】
実施例３
メモリセル（図５）は三層構造を持ち、アルミニウムの電極１，２の間に、シリコン酸化物、シリコン窒化物またはポリスチロール（polystirole）の層３、および銅または銀のカルコゲニド（chalcogenide）の不活性層５を挟んでいる。メモリセルの情報のプログラミング、読み出し、および消去は、実施例１で説明したのと同じ方法で行われる。このセルは情報を長期間保持することができる。
【００３２】
実施例４
メモリセル（図１）は三層構造を持ち、アルミニウムの電極１，２の間に、ポリフェニルアセチレン（polyphenyl acetylene）またはポリジフェニルアセチレン（polydiphenyl acetylene）をクロルアニル分子（chloranil）またはテトラシアノ−キノ−ジメタン（tetracyano-quino-dimethane）分子でドープしたものからなる層３を挟んでいる。メモリセルの情報のプログラミング、読み出し、および消去は、実施例１で説明したのと同じ方法で行われる。このセルは切り替え（スイッチング）が速いという特徴を持つ。
【００３３】
実施例５
メモリセル（図５）は三層構造を持ち、アルミニウムの電極１，２の間に、ポリアニリン（polyanyline）の層３、および水素化パラジウム（palladium hydride）の不活性層５を挟んでいる。メモリセルの情報のプログラミング、読み出し、および消去は、実施例１で説明したのと同じ方法で行われる。このセルは切り替え（スイッチング）が速いという特徴を持つ。
【００３４】
実施例６
メモリセル６（図１６）は三層構造を持ち、２つのアルミニウム電極を含む。これらのアルミニウム電極のうち、最上層の電極は３つのエレメント１ａ，１ｂ，１ｃから構成される。機能層３はポリフェニルアセチレンまたはポリジフェニルアセチレンを含み、不活性層５は、ニオビウムのカルコゲニド（niobium chalcogenide）にリチウムイオンをドープしたものまたは銅のカルコゲニドから作られる。メモリセルへの情報のプログラミングは最下層の電極２および最上層の電極の中央エレメント１ｃに電界パルスを印加することによって行われる。このパルスの値は、閾値２３を超える。同時に、最上層の電極両端のエレメント１ａ，１ｂの間の電気抵抗が制御される。制御される電気抵抗値が所定のレベルに到達したときに、書き込み動作は終了したと考えられ、その後印加電圧は断たれる（スイッチオフ）。セルからの情報の読み出しは、低い電圧パルスを用いて、最上層の電極の両端のエレメント１ａ，１ｂの間の電気抵抗を測定することによって実行される。メモリセルの消去は、反転（負の）電界パルスを最下層の電極２および最上層の電極の中央エレメント１ｃに印加し、同時に最上層の電極の両端のエレメント１ａ，１ｂの間の抵抗を制御することによって実行される。制御された値（電流または抵抗値）が所定のレベルにまで到達すると消去動作は完了したものと考えられ、その後負の印加電圧は断たれる（スイッチオフ）。このセルは、書き込みと読み出しの回路を分離することにより、情報密度が高く、プログラムされたメモリセルの電気抵抗値のより精密な制御を可能としている。
【００３５】
実施例７
メモリセル（図２０）は多層構造を持ち、４つの電極１，２（アルミニウム製）、７（マグネシウム製）および９（導電性で透過性のインジウム酸化物からなる）を含む。機能ゾーン６は図１６の機能ゾーンに対応し、ポリフェニルアセチレンまたはポリジフェニルアセチレンを含み、不活性層はニオビウムのカルコゲニド（niobium chalcogenide）にリチウムイオンをドープしたもの、または銅のカルコゲニドから作られる。層１１はポリフェニルビニレン（polyphenil vinylene）から作られ、光放射構造を形成する。層１０は、半導体または有機材料から作られ、光センサ構造を持つ。光放射層（１１）および光センシング層（１０）は、導電性で透過性のインジウム酸化物からなる電極９によって分離されている。メモリセルの情報のプログラミングおよび消去は、実施例１で説明したのと同じ方法で、電極１，７に電圧を加えることによって行われる。読み出しは、閾値よりも低い電圧パルスを電極１，２に印加し、同時に電極２と９の間の抵抗値または電圧を制御することによって行われる。このセルは、書き込みと読み出しの回路を光学的に分離することにより情報密度を高くでき、プログラムされたメモリセルの電気抵抗値のより精密な制御を可能としている。
【産業上の利用可能性】
【００３６】
本発明のメモリセルの試作品は製作され、テストジェネレータを用いた特別の試験装置で試験が行われた。２つまたは３つのアルミニウム電極を用いる実施例と同様に、連続的なアルミニウム電極も製作され、電極の間にはリチウムイオンでドープした、ポリ共役ポリマーポリジフェニルアセチレン（poly-conjugate polymer polydiphenil acetylen）が配置される。最下層のアルミニウム層はガラス基板の上に吹き付けられたものであり、一方、最上層の電極はポリ（poly）共役ポリマー層の上に吹き付けられたものである。用いられるポリ共役ポリマーは摂氏４００度までの熱に耐えることができ、これによって半導体装置の製造とともに本発明のメモリセルを製造することを可能にする。上述の試験の結果、多ビットのデジタル情報を記憶でき、さらに電気抵抗値としてアナログの値を形成することができるメモリセルの製造の可能性が証明され、これによってニューラルネットにおける能動（アクティブ）シナプスとしての利用も可能であることがわかった。従って、本発明のメモリセルは、デジタルまたはアナログの形式で情報を記憶するための本質的に新しいデバイスであると考えられる。
【参考文献】
【００３７】
１．Ю. Г. Кригер. 不安定な構造を持つ１次元システムおよび分子（モレキュラー）エレクトロニクスデバイスの動作原理と物理的基礎  化学構造マガジン，1999, T.40, No.4, cc. 734-767.
２．Ю. Г. Кригер.  分子（モレキュラー）エレクトロニクス  開発の方法と条件  化学構造マガジン， 1993, T.34, No.6, cc. 75-85
３．R.S. Potember, T. O. Poehler, Cu-TCNQ薄膜における電気的スイッチングおよびメモリ現象、Appl. Phys. Letters, 1979, v.34, No.6, pp.405-407
４．Y. Machida, Y. Saito, A. Taomoto, K. Nichogi, K. Waragai, S. Asakawa  蒸着した鉛フタロシアニンフィルムにおける電気スイッチング Jap. J. Appl. Phys. Pt.1, 1989, v.28, No.2, pp 297-298
原文表記
【表１】
2005500682.tif 000003
【図面の簡単な説明】
【００３８】
【図１】２つの連続電極および活性機能ゾーンを持つ、本発明のメモリセル構造の概略図。
【図２】２つの連続電極および単一層の機能ゾーンを持つ、本発明のメモリセルの概略図。
【図３】２つの連続電極および多層の機能ゾーンを持つ、本発明のメモリセルの概略図。
【図４】２つの連続電極および多層の機能ゾーンを持つ、本発明のメモリセルの概略図。
【図５】２つの連続電極および多層の機能ゾーンを持つ、本発明のメモリセルの概略図。
【図６】２つの連続電極および多層の機能ゾーンを持つ、本発明のメモリセルの概略図。
【図７】２つの連続電極および多層の機能ゾーンを持つ、本発明のメモリセルの概略図。
【図８】２つの連続電極および多層の機能ゾーンを持つ、本発明のメモリセルの概略図。
【図９】単一層の機能ゾーン、一つの連続電極および２つのエレメントからなる一つの電極を有する本発明のメモリセルの概略図。
【図１０】多層の機能ゾーン、一つの連続電極および２つのエレメントからなる一つの電極を有する本発明のメモリセルの概略図。
【図１１】多層の機能ゾーン、一つの連続電極および２つのエレメントからなる一つの電極を有する本発明のメモリセルの概略図。
【図１２】単一層の機能ゾーン、それぞれ２つのエレメントからなる二つの電極を有する本発明のメモリセルの概略図。
【図１３】多層の機能ゾーン、それぞれ２つのエレメントからなる二つの電極を有する本発明のメモリセルの概略図。
【図１４】多層の機能ゾーン、それぞれ２つのエレメントからなる二つの電極を有する本発明のメモリセルの概略図。
【図１５】単一層の機能ゾーン、一つの連続電極および３つのエレメントからなる一つの電極を有する本発明のメモリセルの概略図。
【図１６】多層の機能ゾーン、それぞれ２つのエレメントからなる二つの電極を有する本発明のメモリセルの概略図。
【図１７】多層の機能ゾーン、それぞれ２つのエレメントからなる二つの電極を有する本発明のメモリセルの概略図。
【図１８】多層の機能ゾーンと電気的または光学的な分離のためのエレメントを有する本発明のメモリセルの概略図。
【図１９】多層の機能ゾーンと電気的または光学的な分離のためのエレメントを有する本発明のメモリセルの概略図。
【図２０】多層の機能ゾーンと電気的または光学的な分離のためのエレメントを有する本発明のメモリセルの概略図。
【図２１】本発明のメモリセルへの情報の書き込み、消去および読み出し動作の原理を説明するための回路図。
【図２２】本発明のメモリセルへの情報の書き込み、消去および読み出し動作における電圧および電流の波形を示す図。
【国際公開パンフレット】
2005500682.tif 000004
2005500682.tif 000005
2005500682.tif 000006
2005500682.tif 000007
2005500682.tif 000008
2005500682.tif 000009
2005500682.tif 000010
2005500682.tif 000011
2005500682.tif 000012
2005500682.tif 000013
2005500682.tif 000014
2005500682.tif 000015
2005500682.tif 000016
2005500682.tif 000017
2005500682.tif 000018
2005500682.tif 000019
2005500682.tif 000020
2005500682.tif 000021
2005500682.tif 000022
2005500682.tif 000023
2005500682.tif 000024
2005500682.tif 000025
2005500682.tif 000026
2005500682.tif 000027
2005500682.tif 000028
2005500682.tif 000029
2005500682.tif 000030
2005500682.tif 000031
2005500682.tif 000032
2005500682.tif 000033
2005500682.tif 000034
2005500682.tif 000035
【国際調査報告】
2005500682.tif 000036
2005500682.tif 000037